(57)【要約】【課題】改善されたアイスタートシステムを提供する。【解決手段】機器のビューファインダ３１４内に収納されるようになっている光源４０８と、同様に機器のビューファインダ３１４に収納されるようになっており、ビューファインダ３１４を覗き込むユーザから反射された光源４０８からの光を検知するように構成された光センサ４１６とを備えるアイスタートシステムが開示される。このシステムによって、ユーザから反射された光が光センサ４１６によって検知され、検知されると、機器の動作が起動される。【選択図】図４
2004326118.tif 000002
【特許請求の範囲】
【請求項１】
機器のビューファインダ内に収納されるようになっている光源と、
同様に前記機器のビューファインダに収納されるようになっており、前記ビューファインダを覗き込むユーザから反射された前記光源からの光を検知するように構成された光センサと、
を備え、
前記ユーザから反射された光が前記光センサによって検知されると、機器の動作が起動される、アイスタートシステム。
【請求項２】
前記光源がマイクロディスプレイを含む、請求項１に記載のアイスタートシステム。
【請求項３】
前記マイクロディスプレイが反射型マイクロディスプレイであり、前記システムが、前記マイクロディスプレイを照明するカラー光源をさらに備えている、請求項２に記載のアイスタートシステム。
【請求項４】
前記光源が赤外線光源を備えている、請求項１に記載のアイスタートシステム。
【請求項５】
前記赤外線光源がユーザに向かって発した赤外線光を反射する反射型マイクロディスプレイをさらに備えている、請求項４に記載のアイスタートシステム。
【請求項６】
コンピュータ可読媒体に記憶された目検出アルゴリズムをさらに備え、該目検出アルゴリズムは、閾値の光レベルが前記センサによって検知されると、目の接近を肯定する判定を行うように構成されている、請求項１に記載のアイスタートシステム。
【請求項７】
電子機器のビューファインダを覗き込むユーザを検出する方法であって、
前記ビューファィンダ内から発せられた光でユーザを照明するステップと、
ユーザが照明されたことに応答してユーザから反射された光を前記ビューファインダ内から検知するステップと、
を含む方法。
【請求項８】
光でユーザを照明する前記ステップが、前記ビューファインダに内蔵されたマイクロディスプレイからの光でユーザを照明するステップを含む、請求項７に記載の方法。
【請求項９】
光でユーザを照明する前記ステップが、前記ビューファインダに内蔵された赤外線光源からの赤外線光でユーザを照明するステップを含む、請求項７に記載の方法。
【請求項１０】
検知した光信号を目検出アルゴリズムにより解析して、ユーザが前記ビューファインダを覗き込んでいるかどうかを判定するステップをさらに含む、請求項７に記載の方法。
【発明の詳細な説明】
【技術分野】
【０００１】
本発明は、一般に、アイスタートシステムに関し、特に、カメラのアイスタートシステムに関する。
【背景技術】
【０００２】
何らかの形態のビューファインダを内蔵するいくつかの機器は、当技術分野で一般に「アイスタート」機能と呼ばれるものを組み込んでいる。「アイスタート」とは、ユーザが機器のビューファインダを顔に近づけたことが検出されると動作が開始される属性のことを言う。「アイスタート」という用語は、アイスタートセンサが存在を検出するのは通常の場合、ユーザの顔であって、ユーザの目ではないという点でいささか誤った呼称である。アイスタート機能には様々な用途があるものの、最も多く使用されるのは、フィルムおよびデジタルスチルカメラと組み合わせて、オートフォーカス、自動露出、および自動ホワイトバランス調整プロセスを起動する場合である。
【０００３】
当技術分野で既知であるように、カメラがその視野内の被写体に自動的に焦点を合わせるオートフォーカスは、関心の被写体に関して最大コントラストが検出されるまでカメラの１つまたは複数のレンズ要素をカメラ本体に対して移動させるという比較的時間のかかるプロセスである。ほとんどのカメラでは、このプロセスは、ユーザがシャッターボタンを半押しすると開始される。オートフォーカスプロセスが完了すると、シャッターボタンを半押ししている限りカメラの焦点は固定されたままになる。
【０００４】
この半押し法は、経験を積んだユーザの場合はオートフォーカスプロセスを制御する手段としてうまく機能するが、さほど知識のないユーザの場合はプロセスが完了するまでの時間を待たずに失敗する可能性がある。例えば行楽客が通りがかりの人にカメラを渡して行楽客本人とその家族の写真撮影を頼むと、その通りがかりの人はシャッターボタンを一度にただ「押し込む」かもしれない。このような場合、焦点のずれた画像が取り込まれるか、あるいは間違った画像が取り込まれる可能性がある（例えば、意図する被写体からカメラを外すのが早すぎた場合）。
【０００５】
これらの問題は、アイスタート機能を用いれば回避することができる。この場合オートフォーカス機構は、カメラがユーザの顔の前に持ち上げられるとすぐに始動する。したがって、ユーザが画像を取り込もうとするときには通常、関心の被写体に焦点が合っている。アイスタート機能はまた、カメラが被写体に焦点を合わせるためのユーザが知覚する待ち時間を削減するというさらなる利点をもたらす。具体的に言えばユーザは、カメラを顔の前に持ち上げて構図を決めてしまえば、シャッターボタンを半押ししてそのままオートフォーカスプロセスが完了するのを待たなくても、意のままに写真を撮影することができる。
【発明の開示】
【発明が解決しようとする課題】
【０００６】
アイスタートはカメラや他の機器において魅力的な機能であり得るが、従来のアイスタート機構は、ユーザの顔の接近に関する判定を誤る可能性があった。これは、ほとんどのアイスタート機構が、機器のビューファインダの外部に（例えば、ビューファインダに隣接して機器ハウジングの後面パネルに）配置された光源および光センサを備えるためである。したがって、アイスタート機能を有するカメラをテーブルの上の別の物体の隣に置いた場合、カメラはビューファインダがユーザの目の前に持ち上げられたものと「誤って」認識し、よってオートフォーカスプロセスまたは他の指定動作を開始する可能性がある。このような意図せぬ動作は、特に電力を消費して電池の寿命を縮める場合に望ましくない。
【課題を解決するための手段】
【０００７】
アイスタートシステムであって、機器のビューファインダ内に収納されるようになっている光源と、同様に機器のビューファインダに収納されるようになっており、ビューファインダを覗き込むユーザから反射された光源からの光を検知するように構成された光センサとを備えるアイスタートシステムが開示される。このシステムによって、ユーザから反射された光が光センサによって検知され、検知されると、機器の動作が起動される。
【発明を実施するための最良の形態】
【０００８】
上記で述べたとおり、従来のアイスタート機構を組み込んだ機器は、ユーザの顔の接近以外の刺激によって起動する可能性がある。したがって、アイスタート機能を組み込みながら、ユーザがビューファインダを目の前に持ち上げたときにこれをより正確に検出する機器が必要とされている。
【０００９】
本明細書では、アイスタート機能を機器のビューファインダ内に組み込んだ機器を開示する。場合によっては、ユーザに対してビューファインダに画像を提示するために既に用いられている部品を利用して、ユーザが本当にビューファインダを目の前に持ち上げたのかどうかについての判定を行う。
【００１０】
次に図面を参照する。図面中、同様の数字はいくつかの図を通して対応する部分を示す。図１は、アイスタートシステムを組み込んだ機器１００の一実施形態を示し、当該アイスタートシステムは機器のビューファインダに内蔵されている。図示のように、機器１００はカメラ、特にデジタルスチルカメラを含み得る。カメラの実施態様を図示し本明細書で説明するが、カメラは、アイスタートシステムを組み込むことのできる多くの様々な機器の１つを表しているに過ぎないことが理解されるべきである。したがって、以下で説明するアイスタートシステムは代替的に、ビデオカメラ、バーチャルリアリティ眼鏡、ポータブルコンピューティング装置等といった機器で用いることができる。実際にアイスタートシステムは、事実上あらゆるビューファインダ内蔵の機器で用いることができる。
【００１１】
図１に示すように、機器１００（以下「カメラ１００」と呼ぶ）は、外部ハウジング１０４に封入された本体１０２を含む。カメラ１００はさらに、例えばズームレンズ系を収納する鏡筒１０６を含む。カメラ本体１０２の前部には、カメラを把持するために用いられるグリップ１０８と、例えばカメラの焦点、露出、およびホワイトバランスを自動設定するために用いられる視覚情報を収集するために用いられ得るウインドウ１１０とが組み込まれている。
【００１２】
カメラ１００の上部には、カメラのシャッター（図１では見えない）を開くために用いられるシャッターボタン１１２が設けられる。シャッターボタン１１２を取り囲んで、制御が要求される方向に応じてレンズ系をズームイン・ズームアウトするために用いられるリング制御部１１４がある。シャッターボタン１１２に隣接して、カメラ１００を「動画モード」で使用する場合に音声を取り込むために用いられ得るマイクロフォン１１６がある。このマイクロフォン１１６の隣には、低輝度条件において被写体を照明するために用いられ得るポップアップフラッシュ１２０（格納位置で示す）の動作を制御するために用いられるスイッチ１１８がある。
【００１３】
次に図２を参照すると、図２はカメラ１００の後面を示し、そのカメラ本体１０２にはさらにビューファインダ１２２が設けられている。好ましい構成でビューファインダ１２２は、取り込まれる画像がユーザに対して提示されるマイクロディスプレイ（図２では見えない）を組み込んだ電子ビューファインダ（ＥＶＦ）を含む。取り込まれる画像は、詳細に後述するように拡大レンズまたはレンズ系を含み得るビューファインダ１２２のビューウインドウ１２４を覗き込むことによって見ることができる。ビューファインダ１２２の下には、ショットの構図や取り込んだ画像を確認するために用いられ得るフラットパネルディスプレイ１２６がある。このディスプレイ１２６は例えば液晶ディスプレイ（ＬＣＤ）を含む。カメラ本体１０２の後面にはまた、様々な制御ボタン１２８も設けられる。これらのボタン１２８は例えば、カメラ設定の変更、ユーザに対してディスプレイ１２６に提示される制御メニューのナビゲート、およびディスプレイまたはビューファインダ１２２に示される画像のスクロールのために用いることができる。カメラ本体１０２の後面はさらに、ユーザに対する可聴情報（例えばビープ音や録音された音）を提示するために用いられるスピーカ１３０と、電池および／またはメモリカードを収納するために用いられるコンパートメント１３２とを含む。
【００１４】
図３はカメラ１００の機構の一例を示す。図３に示すように、カメラ１００は、見ているシーンの像を１つまたは複数の画像センサ３０２へ伝達するレンズ系３００を含む。画像センサ３０２は例えば、１つまたは複数のセンサドライバ３０４によって駆動される電荷結合素子（ＣＣＤ）を含む。センサ３０２が取り込んだアナログ画像信号は次に、プロセッサ３０８が処理することのできるバイナリコードへの変換を行うアナログ−デジタル（Ａ／Ｄ）変換器３０６に供給される。
【００１５】
センサドライバ３０４の動作は、プロセッサ３０８と双方向通信を行うカメラ制御インタフェース３１０により制御される。このインタフェース３１０はまた、レンズ系３００を駆動する（例えば焦点やズームを調節する）ために用いられる１つまたは複数のモータ３１２、図１に示したマイクロフォン１１６、および電子ビューファインダ３１４の制御も行う。電子ビューファインダ３１４の様々な実施形態は以後の図で説明する。電子ビューファインダ３１４からの出力は画像センサ３０２と同様、処理前にデジタル形式への変換を行うＡ／Ｄ変換器３０６に供給される。カメラ制御インタフェース３１０の動作は、ユーザインタフェース３１６を操作することによって調整することができる。ユーザインタフェース３１６は、カメラ１００に選択およびコマンドを入力するために用いられる様々な構成要素を含み、少なくとも、シャッターボタン１１２、リング制御部１１４、および図２に示した制御ボタン１２８を含む。
【００１６】
デジタル画像信号は、カメラ制御インタフェース３１０および永久（不揮発性）機器メモリ３２０に記憶された画像処理システム（複数可）３１８からの命令に従って処理される。処理された画像は次に、取り外し可能な固体メモリカード（例えばフラッシュメモリカード）に内蔵されるような記憶装置メモリ３２２に記憶され得る。画像処理システム（複数可）３１８に加えて、機器メモリ３２０はさらに、電子ビューファインダ３１４がユーザの目の前に持ち上げられたときにこれを検出するために電子ビューファインダ３１４とともに用いられる１つまたは複数の目検出（eye detection）アルゴリズム３２４（ソフトウェアまたはファームウェア）を含む。最後に、当該カメラから別の機器（パーソナルコンピュータ（ＰＣ）やプリンタ等）に画像をダウンロードするために用いられ、また画像や他の情報をアップロードするためにも用いられる機器インタフェース３２６（ユニバーサルシリアルバス（ＵＳＢ）コネクタ等）が、カメラ１００に含まれる。
【００１７】
図４は、カメラ１００に組み込まれ得る電子ビューファインダ３１４Ａの第１の実施形態を示す。ビューファインダ３１４Ａならびに後述する他のビューファインダは、アイスタートシステムの構成要素を組み込んだ内蔵ビューファインダモジュールとして形成され得る。したがって、以下の議論から明らかであるように、アイスタートシステムは、ビューファインダの実施形態の各々に内蔵される。
【００１８】
図４に示すように、電子ビューファインダ３１４Ａは、ユーザが目４０２に近づける拡大レンズ４００を含む。この拡大レンズ４００は、ビューファインダハウジングに内蔵されたマイクロディスプレイ４０４により生成した像を拡大して結像するために用いられる。図４では要素４００を１枚のレンズとして示すが、必要に応じて適切なレンズ系を用いることができる。拡大レンズ４００を設けることにより、マイクロディスプレイ４０４が生成した像Ｉはユーザの目４０２に送られ、対応する像Ｉ’が網膜４０６に結ばれる。
【００１９】
マイクロディスプレイ４０４は、透過型または反射型ディスプレイを含み得る。本開示では、「マイクロディスプレイ」という用語は、対角寸法が１インチ（約２５．４ｍｍ）以下のあらゆるフラットパネルディスプレイを指す。マイクロディスプレイは、サイズが比較的小さいにもかかわらず、拡大または投影光学系を通して見ると、大きな高解像度の虚像を生じる。例えば、約０．１９インチ（約４．８３ｍｍ）の対角寸法および３２０×２４０画素の解像度を有するマイクロディスプレイは、２メートル離れて見た場合に約２２．４インチ（約５６．９ｃｍ）のサイズの虚像を生成することができる。
【００２０】
マイクロディスプレイ４０４は例として、シリコンダイ上に形成された反射型強誘電性液晶（ＦＬＣ）マイクロディスプレイを含む。このようなマイクロディスプレイの１つが現在、Displaytech, Inc.（Longmont, Colorado）から入手できる。こうしたマイクロディスプレイは光を発光するのではなく反射するため、反射型マイクロディスプレイで像を生成するための別個の光源が必要となる。したがって、電子ビューファインダ３１４Ａは、発光ダイオード（ＬＥＤ）４０８の形態の赤色、緑色、および青色の光源を含む。これらのＬＥＤ４０８には順次、フィールドシーケンシャル方式で高周波（例えば９０〜１８０Ｈｚ）においてパルス化され（pulsed）、光が経路「ａ」に沿って進み、ビームスプリッタ４１４（例えばガラス面やプリズム）から反射されて、マイクロディスプレイ４０４に入射するようにされる。マイクロディスプレイ４０４の様々な画素は、ＬＥＤ４０８から発せられた光をユーザの目４０２に向かって反射するように操作される。この画素の操作はＬＥＤのパルス化と同期しているため、画像の反射は、赤色の部分、その次に緑色の部分といった順序で高速かつ連続的に行われる。本明細書中では反射型マイクロディスプレイを図示および説明するが、このマイクロディスプレイは必要に応じて代替的に、透過型または発光型ディスプレイ（小型ＬＣＤや有機発光ダイオード（ＯＬＥＤ）等）を含み得る。このような場合、様々なＬＥＤは不要となるが、ＬＣＤの場合はディスプレイを背面から照明するための白色光源が必要となる。
【００２１】
マイクロディスプレイ４０４から反射された（あるいは場合により透過または発光された）光は、経路「ｂ」に沿ってユーザの目４０２へと進む。様々な色信号が高周波で送られるため、目４０２は、信号を解釈して組み合わせ、それらの信号が、見ているシーンを構成する色および形を形成しているように見せる。目４０２の特性により、この光の一部は反射されて経路「ｃ」に沿ってビューファインダ３１４Ａに戻ってくる。この光は、ユーザの目４０２の様々な異なる特徴（例えば網膜４０６（光を再帰反射する）、あるいは角膜４１０および／または強膜４１２（「わずかな」光（"glints" of light）を反射する）を含む）から反射されている可能性がある。さらに、マイクロディスプレイ４０４によって照明されたユーザの目蓋および顔から反射された光もまた、経路「ｃ」に沿って反射され得る。
【００２２】
ユーザにより反射された光は、拡大レンズ４００を介して電子ビューファインダ３１４Ａに入射し、次にビームスプリッタ４１４から反射される。この反射像は次に、電子ビューファインダのハウジングに内蔵されたアイスタートセンサ４１６に到達する。このセンサ４１６はＣＣＤ等の半導体センサを含む。センサ４１６により捕捉された光信号は、デジタル信号に変換された後でプロセッサ３０８（図３）に供給され、次に、機器メモリ３２０に記憶された目検出アルゴリズム３２４を用いて解析され得る。これにより、ユーザが機器のアイピース１２２を目の前に持ち上げたのかどうかについての判定が行われる。この判定を行うには、目検出アルゴリズム３２４を用いて、総光量を求め（identify）、光レベル（すなわち光信号の輝度）が所定の最低閾値を越えているかを判定する。この最低閾値は、製造時にメモリ３２０にプログラムするか、あるいはユーザがビューファインダ３１４Ａを目の前に持ち上げて当該条件をカメラ１００に伝えるキャリブレーションプロセスにより決定することができる。閾値が正しく設定されれば、カメラ１００を顔の前に持ち上げていないときにマイクロディスプレイ４０４から反射される光や、周囲からの光は、アイスタートシステムをトリガすることができない。
【００２３】
図５は、上記のビューファインダ３１４Ａの説明において記載したアイスタート機能を要約するフローチャートである。以下で説明するプロセスのステップまたはブロックはいずれも、プロセス中の特定の論理機能またはステップを実施するための１つまたは複数の実行可能な命令を含むプログラムコードのモジュール、セグメント、または部分を表し得る。特定のプロセスステップ例を説明するが、代替的な実施態様も実行可能である。ステップはさらに、図示または議論する順番とは異なる順番で実行することができ、関連する機能に応じて略同時または逆の順番も含まれる。
【００２４】
図５のブロック５００から開始して、アイスタートシステムを起動する。この起動は、機器１００に電源が投入されたこと、または別の刺激（ユーザがユーザインタフェース３１６によりアイスタートモードを選択したこと等）に応答して起こり得る。いずれにせよアイスタートシステムは、いったん起動されると、アイスタートセンサ４１６が検知する光量を継続的に監視して（ブロック５０２）、検知した光の大きさが閾値を越えて、肯定的な目の接近判定を知らせているかどうかを判定する。例として、アイスタートシステムは、センサ４１６を約１〜１０Ｈｚの周波数で監視することができる。
【００２５】
判定ブロック５０４を参照して、アイスタートセンサ４１６に入射する光の光レベル（例えば輝度）が所定の閾値を越えているかどうかを判定する。閾値を越えていない場合、フローは後述の判定ブロック５０８に進む。しかしながら閾値に達したか、あるいは閾値を越えた場合、フローはブロック５０６に進み、機器の機能を起動する。機器がカメラである場合、この機能は、オートフォーカス、自動露出、および自動ホワイトバランス調整の開始のうちの１つまたは複数であり得る。他の写真以外の機能を制御してもよい。例えば、ユーザの目を検出すると、マイクロディスプレイ４０４や機器自体を起動することもできる。実際に、本明細書中に記載する目検出方法は、電子ビューファインダであれ従来のビューファインダであれ、ビューファインダを組み込んだほぼあらゆる機器のほぼあらゆる機能または動作を起動するために用いることができる。
【００２６】
図６は、カメラ１００に組み込むことのできる電子ビューファインダ３１４Ｂの第２の実施形態を示す。このビューファインダ３１４Ｂは、ある側面では図４のビューファインダ３１４Ａと同様である。したがって、ビューファインダ３１４Ｂは、ユーザの目６０２に近づけられる拡大レンズ６００と、マイクロディスプレイ６０４と、一群のＬＥＤ６０６と、ビームスプリッタ６０８と、アイスタートセンサ６１０とを含む。しかしながら、ビューファインダ３１４Ｂはさらに、ユーザの目６０２を照明するために用いられるＩＲ波長の光を発するために用いられる赤外線（ＩＲ）ＬＥＤ６１２と、可視光がアイスタートセンサ６１０に到達する前にこれをフィルタリングするために用いられるＩＲ通過フィルタ６１４とを含む。これらの付加的な構成要素により、ユーザの目６０２にはＩＲ光が投光され、反射されたＩＲ信号がセンサ６１０によって検出され得る。具体的には、ＩＲ光は、ＩＲ  ＬＥＤ６１２から経路「ａ」に沿って進み、ビームスプリッタ６０８から反射され、マイクロディスプレイ６０４から反射され、経路「ｂ」に沿ってビームスプリッタおよび拡大レンズ６００を通って進み、ユーザの目６０２の１つまたは複数の特徴および／または周囲組織から反射され、経路「ｃ」に沿って進み、再びビームスプリッタから反射され、ＩＲ通過フィルタ６１４を通過し、最終的にアイスタートセンサ６１０により集光される。
【００２７】
本実施形態において、ＩＲ  ＬＥＤ６１２は、他のＬＥＤ６０６と同様にフィールドシーケンシャル方式でパルス化され、例えばマイクロディスプレイ６０４からの反射の４回に１回がＩＲの反射となるようにすることができる。しかしながら特に、ユーザの目６０２はＩＲ信号の存在を検出しないため、ＩＲ  ＬＥＤ６１２のパルス化は他のＬＥＤがオフであるときに限る必要はない。実際、必要であれば、ＩＲ  ＬＥＤ６１２は、ユーザの目６０２の存在が検出されるまで継続的に照明を行うことができる。しかしながら電池の寿命を延ばすために、ＩＲ  ＬＥＤ６１２のパルス化は通常、適切な周波数（例えば２Ｈｚ）でオン／オフされる。
【００２８】
図６の実施形態は、ＩＲ光のみがアイスタートシステムをトリガすることによって所与の機器機能を起動するため、読み取りの誤りが少なくなるという潜在的な利点をもたらす。さらに、別個のＩＲ光源の使用は、機器が一定の期間または時間のあいだ使用されていない場合、あるいはマイクロディスプレイに提示された像が比較的暗く目６０２から反射された信号を検出するのが難しい場合にマイクロディスプレイ６０４が「スリープ」モードになる状況で有用であり得る。ＩＲ光の使用はさらに、機器を起動する（power-up）ためにアイスタート機能を使用する場合に有用であり得る。
【００２９】
図７は、カメラ１００に組み込むことのできる電子ビューファインダ３１４Ｃの第３の実施形態を示す。このビューファインダ３１４Ｃは、ある側面では図６のビューファインダ３１４Ｂと同様である。したがって、ビューファインダ３１４Ｃは、ユーザの目７０２に近づけられる拡大レンズ７００と、マイクロディスプレイ７０４と、一群のＬＥＤ７０６と、ビームスプリッタ７０８と、アイスタートセンサ７１０とを含む。ビューファインダ３１４Ｃはさらに、赤外線ＬＥＤ７１２と、可視光がアイスタートセンサ７１０に到達する前にこれをフィルタリングするために用いられるＩＲ通過フィルタ７１４とを含む。しかしながら、図７の実施形態では、ＩＲ  ＬＥＤ７１２、アイスタートセンサ７１０、およびＩＲ通過フィルタ７１４は、マイクロディスプレイ７０４に対して傾斜角をなす方向にあり、ユーザの目７０２の周囲の肌を明確な目標とするようになっている。したがって動作は、アイスタートシステムがユーザの目だけでなく目蓋、頬、または額を検出することを除き、図６の実施形態と同様である。したがって、ＩＲ  ＬＥＤ７１２からの光は、経路「ａ」に沿って拡大レンズ７００を通って直進し、ユーザの顔から反射されて経路「ｂ」に沿って進み、拡大レンズを通って元の方向へ戻り、ＩＲ通過フィルタ７１４を通過し、センサ７１０によって受光される。反射光は傾斜角のために大きな収差を生じるが、光信号全体が検出されるため、この収差は接近の判定に悪影響を与えない。
【００３０】
図８Ａおよび図８Ｂは、カメラ１００に組み込むことのできる電子ビューファインダ３１４Ｄの第４の実施形態を示す。このビューファインダ３１４Ｄは図６のビューファインダ３１４Ｂと同様である。したがって、ビューファインダ３１４Ｄは、ユーザの目８０２に近づけられる拡大レンズ８００と、マイクロディスプレイ８０４と、ＩＲ  ＬＥＤ８１２を含む一群のＬＥＤ８０６と、ビームスプリッタ８０８と、アイスタートセンサ８１０と、ＩＲ通過フィルタ８１４とを含む。しかしながら、図８Ａおよび図８Ｂの実施形態はさらに、マイクロディスプレイ８０４の一部または全部を取り囲むＩＲ反射型ベゼルすなわちレティクル（reticule）８１６を含む。このベゼル８１６は、より広い照明領域を与え、ＩＲ  ＬＥＤ８１２からの光がより容易にユーザの目８０２に導かれるようにする。ベゼル８１６は、ＩＲ光を反射するものの、可視光を吸収するため、マイクロディスプレイ８０４からの可視光は反射されず、ユーザに対しては目立たないか、あるいは見えない。図８Ｂは、ビューファインダ１２２のビューウインドウ１２４を通して見たベゼル８１６の一実施形態の図を示す。本実施形態では、ベゼル８１６はマイクロディスプレイ８０４を完全に取り囲む。
【００３１】
上記の説明および図面では例示として本発明の特定の実施形態を詳細に開示してきたが、当業者には、添付の特許請求の範囲に記載される本発明の範囲から逸脱することなくその変形および修正を行うことができることが理解される。
【００３２】
上記では様々なプログラム（ソフトウェアおよび／またはファームウェア）を示した。これらのプログラムは、任意のコンピュータ関連のシステムまたは方法によって用いられるか、あるいは当該システムまたは方法に関連して用いられる任意のコンピュータ可読媒体に記憶することができる。本文書の文脈において、コンピュータ可読媒体とは、コンピュータ関連のシステムまたは方法によって用いられるか、あるいは当該システムまたは方法に関連して用いられるプログラムを収容または記憶することができる電子、磁気、光学、または他の物理デバイスまたは手段である。プログラムは、命令実行システム、装置、または機器によって用いられるか、あるいは当該システム、装置、または機器に関連して用いられる任意のコンピュータ可読媒体において具現することができる。命令実行システム、装置、または機器の例としては、コンピュータベースのシステム、プロセッサ内蔵システム、あるいは命令実行システム、装置、または機器から命令をフェッチして実行することができる他のシステムがある。「コンピュータ可読媒体」という用語は、命令実行システム、装置、または機器によって用いられるか、あるいは当該システム、装置、または機器に関連して用いられるコードを記憶、伝達、伝搬、または転送することができる任意の手段を包含する。
【００３３】
コンピュータ可動媒体は例えば、電子、磁気、光学、電磁、赤外線、または半導体システム、装置、機器、または伝搬媒体とすることができるが、これらに限定されない。コンピュータ可読媒体のより具体的な例（網羅的でないリスト）は、１つまたは複数の電線を有する電気接続、携帯用コンピュータディスケット、ランダムアクセスメモリ（ＲＡＭ）、読み出し専用メモリ（ＲＯＭ）、消去可能プログラム可能読み出し専用メモリ（ＥＰＲＯＭ、ＥＥＰＲＯＭ、またはフラッシュメモリ）、光ファイバ、および携帯用コンパクトディスク読み出し専用メモリ（ＣＤ−ＲＯＭ）を含む。なおコンピュータ可読媒体は、プログラムが印刷される紙または別の適切な媒体とすることさえできる。なぜなら印刷されたプログラムは、例えば光学走査により電子的に取り込み、次に必要に応じて適宜コンパイルするか、インタープリットするか、あるいは他の方法で処理して、次にコンピュータメモリに記憶することができるからである。
【図面の簡単な説明】
【００３４】
【図１】アイスタート機能を含む機器の一実施形態の前面斜視図である。
【図２】図１の機器の背面図である。
【図３】図１および図２に示す機器の一実施形態の概略図である。
【図４】ユーザの目が図１ないし図３に示す機器のビューファインダの第１の実施形態と相互作用する様子を示す概略図である。
【図５】アイスタート機能を行うカメラの動作の一実施形態のフロー図である。
【図６】ユーザの目が図１ないし図３に示す機器のビューファインダの第２の実施形態と相互作用する様子を示す概略図である。
【図７】ユーザの目が図１ないし図３に示す機器のビューファインダの第３の実施形態と相互作用する様子を示す概略図である。
【図８Ａ】ユーザの目が図１ないし図３に示す機器のビューファインダの第４の実施形態と相互作用する様子を示す概略図である。
【図８Ｂ】図８Ａに示すビューファインダを覗き込んだユーザに見えるビューの概略図である。
【符号の説明】
【００３５】
４００：拡大レンズ
４０４：マイクロディスプレイ
４０８：発光ダイオード
４１４：ビームスプリッタ
４１６：アイスタートセンサ
【図１】
2004326118.tif 000003
【図２】
2004326118.tif 000004
【図３】
2004326118.tif 000005
【図４】
2004326118.tif 000006
【図５】
2004326118.tif 000007
【図６】
2004326118.tif 000008
【図７】
2004326118.tif 000009
【図８Ａ】
2004326118.tif 000010
【図８Ｂ】
2004326118.tif 000011